(57)【要約】【課題】フットリング固定構造を提供する。【解決手段】  中空の内套筒、クイックリリース器、中空の外套筒で構成するフットリング固定構造である。該中空の内套筒は一つのコーン型の外部を具有し、且つ該表面にねじ山を分布し、及び一つの縦方向に貫通し、内套筒が変形できる隙間溝を提供する。該クイックリリース器は内套筒の底端と連結し、隙間溝の大小をコントロールする。該中空の外套筒はフットリングと連結し、一つのコーン型の内部を具有して内套筒とマッチングし、且つ対応するねじ山を分布し、回転を通じて内套筒の外部と接合する。フットリングを提供することにより手間を省き、便利な方法で椅子に組立て、且つ頼もしい安定性を具有する。【選択図】  図２
2017047195.tif 000002
【特許請求の範囲】
【請求項１】
中空の内套筒、クイックリリース器、中空の外套筒を含み、
該中空の内套筒は一つのコーン型の外部を具有し、且つ該表面にねじ山を分布し、及び一つの縦方向に貫通し、内套筒が変形できる隙間溝を提供し、
該クイックリリース器は内套筒の底端と連結し、隙間溝の大小をコントロールし、該中空の外套筒はフットリングと連結し、一つのコーン型の内部を具有して内套筒とマッチングし、且つ対応するねじ山を分布し、回転を通じて内套筒の外部と接合することを特徴とするフットリング固定構造。
【請求項２】
前記内套筒の底端に二つの外に突出する掛合部を具有し、該隙間溝の両サイドに位置し、各一つの掛合部の上に、それぞれ各一つの貫通穴を具有し、且つ互いに対応し、前記クイックリリース器はその端部に貫通穴と対応する一つの穴を具有し、該穴と貫通穴の間に一つのネジ栓を通すことで、クイックリリース器を内套筒と連結することを特徴とする請求項１記載のフットリング固定構造。
【請求項３】
前記外套筒とフットリングの間に複数本の支え棒を連結し、且つ各一個の支え棒の位置に対応する外套筒に通し溝を開設することで定位を提供し、フットリングの各一つの支え棒に対応して一つの定位槽を開設し、連結を提供することを特徴とする請求項１記載のフットリング固定構造。
【発明の詳細な説明】
【技術分野】
【０００１】
本発明は一種のフットリングの構造に関し、椅子に設置し、座る者の足部を休ませるためのものであり、特にフットリングを椅子に固定する固定構造に関する。
【背景技術】
【０００２】
椅子に座る際の快適さを提供するために、背もたれ或いはシートの機能性を考慮するほか、椅子を支える支柱にも足部を休ませるためのフットリング構造を頻繁に見られ、特に椅子のシートを高く調整した後、或いはよく見られるハイタイプの椅子に、ユーザーが該フットリングを通じて足部の支えを和らげるのに便利である。
【０００３】
フットリングは足部の支えになるため、相当の重さに耐えなければならず、でなければ椅子の支柱から緩み、或いは脱落する状況が発生しやすい。軽ければ新たに調整して固定するだけでよいが、厳重なる場合は、足部が突然支えを失って体が無理に引っ張られる、或いはフットリングの脱落により押されて怪我したり、損壊したりする状況が生じる可能性もある。
【０００４】
従来の技術において、通常は片方の力がネジにかかり、フットリングにあるスペーサーを圧迫する方法で椅子の支柱に固定する。応力点が均等ではないため、組立てた後にバランスを保てず揺れやすく、不安定な状態を形成する。特に組立てる際、必ず片手でフットリングを支えて一時的に定位し、更に別の手でネジを螺合してから完成することができる。知っておかなければならないのは、フットリングは通常一種の金属製品であり、このような組立は力を費やすだけでなく、難易度も高く、頼りないことなどを鑑みて、更なる改善が必要であった。
【先行技術文献】
【特許文献】
【０００５】
【特許文献１】特開2014-252086号公報
【発明の概要】
【発明が解決しようとする課題】
【０００６】
本発明はフットリング固定構造を提供するものである。
【課題を解決するための手段】
【０００７】
上述の目的を解決するために、本発明はフットリング固定構造を提供するものである。  本発明は主に一種のフットリングを椅子の支柱に固定する技術であり、該固定構造に含まれるのは一つの中空の内套筒であり、それを椅子の支柱に套接する。一つのコーン型の外部を具有し、且つ該表面にねじ山を分布し、及び一つの縦方向に貫通し、内套筒が変形できる隙間溝を提供する。該クイックリリース器は内套筒の底端と連結し、隙間溝の大小をコントロールする。該中空の外套筒はフットリングと連結し、一つのコーン型の内部を具有して内套筒とマッチングし、且つ対応するねじ山を分布し、回転を通じて内套筒の外部と接合する
【０００８】
以上の固定構造を通じて生じる有益な効果に含まれるのは下記の通りである。
【０００９】
一、内套筒にクイックリリース器を連結し、該クイックリリース器の固定を通じて、内套筒を一時的に椅子の支柱に定位させ、更にフットリングを回転することで、外套筒と内套筒を接合することで、該フットリングを固定することができる。このような組み立て方法は従来技術より便利且つ手間が省ける。
【００１０】
二、内套筒の隙間溝及び該外部のコーン型デザインにより、フットリングを固定する際に、従来技術より更に緊密で安定性のある構造である。
【発明の効果】
【００１１】
本発明の構造により、フットリングを組立てる際は、手間を省き、便利な方法で椅子を組立てることができ、且つ頼もしい安定性を具有する。
【図面の簡単な説明】
【００１２】
【図１】本発明のフットリングを設置した椅子の外観図である。
【図２】本発明の固定構造の分解図である。
【図３】本発明のフットリング及び固定構造の組立図である。
【図４】本発明のフットリング及び固定構造を椅子に組立てた側面図である。
【図５】本発明の操作図であり、フットリングの高さの位置を変更する使用状態を示す。
【図６】図５のフットリングの高さ位置を変更したあとの使用状態を示す。
【発明を実施するための形態】
【００１３】
以下に、本発明の実施の形態について説明する。なお、同一または相当する部分に同一の参照符号を付す。
【実施例】
【００１４】
図１に示すように、本発明のフットリング３は椅子１００を支えて立つ支柱１０１に設置し、椅子１００に座る者が足底をフットリング３に踏みつけて休むことができる。固定構造は、該フットリング３を該支柱１０１に固定するためのものである。図２に示すように、該固定構造に主に含まれるのは一つの中空の内套筒１、一つのクイックリリース器４及び一つの中空の外套筒２である。該内套筒１は支柱１０１に套接するためのものであり、該外部はコーン型を呈し、且つねじ山１２を分布する。また、縦方向に貫通する一つの隙間溝１１を具有することで、内套筒１の横断面が一つのＣ型を形成し、変形することができる。該内套筒１の底端に二つの外に突出する掛合部１３を具有し、該隙間溝１１の両サイドに位置する。各一つの掛合部１３の上に、それぞれ各一つの貫通穴１３１を具有し、且つ互いに対応する。隙間溝１１があるため、二つの掛合部１３は力を受けて近寄る際に、内套筒１は変形し、挟持力が生まれる。
【００１５】
前記クイックリリース器４はその端部に、前述二つの貫通穴１３１と対応する一つの穴４１を具有する。該穴４１と二つの貫通穴１３１の間に一つのネジ栓５を通す。ネジ栓５の末端は脱落防止のナット６と回転接合することで、クイックリリース器４を内套筒１に連結する。該クイックリリース器４が回転することで生まれるひねり力を掛合部１３に作用することで、隙間溝１１が小さくなり、該内套筒１を支柱１０１に固定する。
【００１６】
前記外套筒２はフットリング３と連結するためのものであり、内套筒１とマッチングするコーン型の内部２１を具有する。該内部２１の表面に分布するねじ山２２は、内套筒１のねじ山１２と対応し、回転することで内套筒１に接合する。該外套筒２は回転する方法により内套筒１と接合する過程において、このコーン型デザインを通じて、隙間溝１１の距離をもっと小さくすることができるため、内套筒１は更に支柱１０１にしっかりと貼り付けて固定することができる。且つ該外套筒２も更に該内套筒１にもっときつく締め付けて固定することができる。
【００１７】
また、図２及び図３に示す実施例において、該フットリング３に一つのサークル状、金属材料で作られた本体部３１を具有し、該本体部３１に滑り止めシート３３を設ける。また、該本体部３１の内側の、各一つの支え棒３２の位置に対応してそれぞれ一つの定位槽３１１を設ける。該外套筒２の外表面に各一つの支え棒３２の位置にそれぞれ一つの通し溝２３を設ける。各一つの支え棒３２の両端をそれぞれ該通し溝２３及び定位槽３１１内に通して固定することで、該フットリング３は外套筒２と連結し、且つ該各支え棒３２はランダムに交換することができる。
【００１８】
組立てる及び操作する際は、図４から図６を参照する。まず、該外套筒２及び内套筒１をそれぞれ椅子１００の支柱１０１に套設し、設定の高さをセレクトした後、クイックリリース器４の回転ひねり力を通じて掛合部１３を圧迫することで、隙間溝１１が小さくなり、内套筒１はそれによって変形し、支柱１０１に対して挟持力が生じて固定する。続いて外套筒２はねじ山２２を使って内套筒１と回転接合し、回転するひねり力により隙間溝１１を更に小さくし、更に強い挟持力が生まれる。また、外套筒２と内套筒１がマッチングするコーン型デザインにより、両者の接合関係はますます緊密したものとなり、支柱１０１から離脱しない。外套筒２及び内套筒１の位置を固定した後、支え棒３２をそれぞれ通し溝２３及び定位槽３１１の中に挿入すれば、図４に示すように、フットリング３を連結して座ることができる。図５に示すように、仮にフットリング３の支柱１０１に対する高さ位置を変えたい場合、フットリング３の本体部３１に力を入れ、外套筒２を動かして回転させる。該図に示すように逆時計回りでまず外套筒２と内套筒１の接合関係を緩めるが、完全に分離させず、且つクイックリリース器４の掛合部１３に対する圧迫を解くことで、隙間溝１１の距離を大きくし、それにより内套筒１を調整可能にする。更にフットリング３と一緒に設定の高さに移動した後、前記の動作を繰り替えし、クイックリリース器４をきつく回し、フットリング３を回転して完全に接合し、且つ内套筒１の外部にしっかりと固定する、図６に示す通り。
【００１９】
以上の説明は、本発明の好適な実施形態を示したものであり、本発明を限定するものではない。従って、本発明の主旨を逸脱しない範囲における修飾または変更は、全て、本発明の保護範囲に含まれる。
【符号の説明】
【００２０】
１  内套筒
１１  隙間溝
１２  ねじ山
１３  掛合部
１３１  貫通穴
１００  椅子
１０１  支柱
２    外套筒
２１  内部
２２  ねじ山
２３  通し溝
３    フットリング
３１  本体部
３１１  定位槽
３２    支え棒  
３３    滑り止めシート
４  クイックリリース器
４１  通し穴  
５  ネジ栓
６  ナット
【図１】
2017047195.tif 000003
【図２】
2017047195.tif 000004
【図３】
2017047195.tif 000005
【図４】
2017047195.tif 000006
【図５】
2017047195.tif 000007
【図６】
2017047195.tif 000008